(57)【要約】【課題】外蓋体のみを開閉操作するだけで中蓋体も開閉でき、さらに、外蓋体が仮にわずかに開いた状態となってしまった場合にも中蓋体を閉鎖状態とすることができる量水器ボックスを提供する。【解決手段】量水器ボックス１は、外蓋体２０と内蓋体３５とが紐体５０で接続されており、遮蔽位置２０Ａに位置する外蓋体２０が所定の遊動限界位置２０Ｃに達するまでは中蓋体３５は遮蔽位置３５Ａに位置し、外蓋体２０が遊動限界位置２０Ｃを超えて開放すると、中蓋体３５が同期して開放する。【選択図】図４
2016199928.tif 000002
【特許請求の範囲】
【請求項１】
量水器を覆う量水器ボックスにおいて、
内部に量水器が配置され、かつ外側開口部が上部に形成された筐体と、
前記筐体の上部に開閉自在に軸支され、前記外側開口部を遮蔽自在とする外蓋体と、
前記筐体内にあって前記量水器の上方位置に脱着自在に取り付けられ、前記筐体内を上下に仕切る仕切り体と、
を備え、
前記仕切り体は、
前記量水器を外部から視認可能とする内側開口部が形成された本体と、前記本体に開閉自在に軸支され、前記内側開口部を遮蔽自在とする中蓋体と、を具備し、
前記外蓋体と前記中蓋体とが連結手段を介して接続されており、
前記外蓋体と前記中蓋体とが遮蔽位置となる状態を閉塞状態とし、
前記外蓋体と前記中蓋体とが開放位置となる状態を開放状態とし、
前記閉塞状態にある遮蔽位置の外蓋体が所定の遊動限界位置へ回動されるまでは中蓋体は遮蔽位置に位置し、
外蓋体が前記遊動限界位置から開放位置へ向かって回動されると、中蓋体が外蓋体と同期して遮蔽位置から開放位置まで開方向へ回動して前記開放状態となり、
前記開放状態にある開放位置の外蓋体が遊動限界位置まで閉方向に回動すると、中蓋体が自重で開放位置から遮蔽位置まで閉方向へ回動する
ことを特徴とする量水器ボックス。
【請求項２】
前記開放状態にある中蓋体が開放位置からさらに前記内側開口部から離開する方向へ回動した際に外蓋体は開放位置に位置している
請求項１に記載の量水器ボックス。
【請求項３】
前記連結手段は、紐体で構成され、
前記中蓋体の上面には、両端が開放されて前記紐体が挿通可能な挿通部が設けられており、
前記紐体が前記挿通部に挿通された状態で該紐体の両端が外蓋体に取り付けられている
請求項１又は請求項２に記載の量水器ボックス。
【発明の詳細な説明】
【技術分野】
【０００１】
本発明は、例えば寒冷地で使用される量水器に関する。
【背景技術】
【０００２】
従来から、地中に埋設された量水器を視認可能に保護するための量水器ボックスは広く使用されている。特に寒冷地においては、断熱性の高い中蓋装置によって量水器ボックス内を上下に仕切り、これによって量水器や配管の凍結を防止するものが既に提供されている（例えば、特許文献１参照）。
【先行技術文献】
【特許文献】
【０００３】
【特許文献１】実開昭６１−７１６６０号公報
【発明の概要】
【発明が解決しようとする課題】
【０００４】
しかしながら、上記特許文献１に開示されている中蓋装置にあっては、量水器筐本体の蓋と中蓋装置の中蓋とを個別に開閉する作業が必要であり、検針を行ったりメンテナンスを行ったりする際の作業性が悪いという問題がある。また、内部の状態が外部から視認できない材料で構成されていることが一般的であるところ、中蓋を閉じ忘れたまま外蓋を閉めてメンテナンス作業を終えてしまった場合に、中蓋の閉じ忘れを見過ごしてしまい、断熱性能が不十分となって量水器や配管内の水等の凍結を招きかねないという問題もある。
【０００５】
そこで本発明は、外蓋のみを開閉操作するだけで中蓋も開閉でき、さらに、外蓋が仮にわずかに開いた状態となってしまった場合にも中蓋を閉鎖状態とすることができる量水器ボックスを提供することを目的とする。
【課題を解決するための手段】
【０００６】
本発明は、量水器を覆う量水器ボックスにおいて、内部に量水器が配置され、かつ外側開口部が上部に形成された筐体と、前記筐体の上部に開閉自在に軸支され、前記外側開口部を遮蔽自在とする外蓋体と、前記筐体内にあって前記量水器の上方位置に脱着自在に取り付けられ、前記筐体内を上下に仕切る仕切り体と、を備え、前記仕切り体は、前記量水器を外部から視認可能とする内側開口部が形成された本体と、前記本体に開閉自在に軸支され、前記内側開口部を遮蔽自在とする中蓋体と、を具備し、前記外蓋体と前記中蓋体とが連結手段を介して接続されており、前記外蓋体と前記中蓋体とが遮蔽位置となる状態を閉塞状態とし、前記外蓋体と前記中蓋体とが開放位置となる状態を開放状態とし、前記閉塞状態にある遮蔽位置の外蓋体が所定の遊動限界位置へ回動されるまでは中蓋体は遮蔽位置に位置し、外蓋体が前記遊動限界位置から開放位置へ向かって回動されると、中蓋体が外蓋体と同期して遮蔽位置から開放位置まで開方向へ回動して前記開放状態となり、前記開放状態にある開放位置の外蓋体が遊動限界位置まで閉方向に回動すると、中蓋体が自重で開放位置から遮蔽位置まで閉方向へ回動することを特徴とする量水器ボックスである。
【０００７】
かかる構成にあっては、前記外蓋体の開閉操作のみで前記中蓋体の開閉も行うことができるため、該中蓋体の閉じ忘れという問題が生じない。したがって、検針やメンテナンス等の作業性が格段に向上する。また、本発明にあっては、外蓋体が遮蔽位置から遊動限界位置の間で開閉しても、中蓋体は遮蔽位置に維持される。このため、例えば小石等が挟まることで該外蓋体が完全に閉じていなくても、該中蓋体が適正に遮蔽位置となって断熱性能の低下を招くことがない。
【０００８】
また、前記開放状態にある中蓋体が開放位置からさらに前記内側開口部から離開する方向へ回動した際に外蓋体は開放位置に位置している構成が好ましい。
【０００９】
かかる構成にあっては、開放状態において中蓋体が開放位置からさらに開ける方向へ回動しても、外蓋体は開放位置に維持されたままとなる。すなわち、仮に作業中に手が中蓋体に触れて中蓋体を開放位置から過剰に開方向へ回動させてしまった場合にも、該外蓋体はそのまま開放位置に維持されるため、誤って外蓋体が閉まったり連結手段が破損してしまったり、あるいは仕切り体が上方に引っ張られて位置ずれを起こしてしまったりすることがない。
【００１０】
なお、前記連結手段は、紐体で構成され、前記中蓋体の上面には、両端が開放されて前記紐体が挿通可能な挿通部が設けられており、前記紐体が前記挿通部に挿通された状態で該紐体の両端が外蓋体に取り付けられている構成が好ましい。
【００１１】
かかる構成とすることにより、前記閉塞状態で紐体を弛ませた状態とすることができ、上述した態様に従って外蓋体と中蓋体とを連動させることができる。
【発明の効果】
【００１２】
本発明の量水器ボックスは、外蓋体のみを開閉操作するだけで中蓋体も開閉でき、さらに、外蓋体が仮にわずかに開いた状態となってしまった場合にも確実に中蓋体を遮蔽状態とすることができる。
【図面の簡単な説明】
【００１３】
【図１】閉塞状態の量水器ボックスを示す一部切欠斜視図である。
【図２】閉塞状態の量水器ボックスを示す縦断面図である。
【図３】外蓋体が遊動限界位置に位置している状態を示す量水器ボックスの一部切欠斜視図である。
【図４】外蓋体が遊動限界位置に位置している状態を示す量水器ボックスの縦断面図である。
【図５】開放状態の量水器ボックスを示す一部切欠斜視図である。
【図６】開放状態の量水器ボックスを示す縦断面図である。
【図７】中蓋体が遊動限界位置の手前に位置している状態を示す量水器ボックスの縦断面図である。
【発明を実施するための形態】
【００１４】
以下、本発明の量水器ボックスを具体化した実施例を詳細に説明する。ただし、本発明は、下記に示す実施例に限定されることはなく、適宜設計変更が可能である。なお、量水器及び配管は公知のものが適用可能であるため、説明及び図示を省略する。また、本実施例を、上下、前後、及び左右方向を規定して適宜説明する場合があるが、本発明の量水器ボックスがかかる方向に限定されて使用されるものではない。
【００１５】
図１，図２に示すように、量水器ボックス１は、量水器（図示省略）が内部に配置されている筐体１０を備えている。そして、該筐体１０は、下側筐体１１と、該下側筐体１１の上部に取り付けられる上側筐体１５とを具備している。
【００１６】
前記下側筐体１１は、直方体箱形状をなし、上側が開口している。また、該下側筐体１１の側壁において互いに対向する左右の壁面１２には、量水器が接続された配管が挿通される貫通孔１３がそれぞれ設けられている。
【００１７】
また、前記上側筐体１５は、直方体箱形状をなし、前記下側筐体１１の上端に嵌着する凹溝１６が下縁に設けられている。また、該上側筐体１５の上側には、外側開口部１７が形成され、該上側筐体１５上部には、該外側開口部１７を遮蔽自在とする外蓋体２０が軸支されている。具体的には、外蓋体２０の後縁部側が軸支され、前縁部側が持ち手側となる。なお、該外蓋体２０の内面には断熱性能を良好なものとする肉厚な断熱部２１が設けられ、該断熱部２１が前記外側開口部１７に嵌入可能とされている。
【００１８】
そして、前記量水器ボックス１は、前記上側筐体１５の上端と前記外蓋体２０の表面とが地表に露出するように地中に埋設される。
【００１９】
なお、前記下側筐体１１、前記上側筐体１５、及び前記外蓋体２０は、熱可塑性樹脂、熱硬化性樹脂、コンクリート、又は金属（鉄製）で構成することができる。熱可塑性樹脂としては、塩化ビニル樹脂、ポリプロピレン樹脂、ＡＢＳ樹脂、又はＰＥＴ樹脂等が挙げられる。また、熱硬化性樹脂としては、ＦＲＰ等が挙げられる。特に、熱可塑性樹脂が好ましい。また、前記断熱部２１は、断熱性の高い発泡スチロール等の発泡樹脂が封入あるいは装着されていてもよいし、発泡樹脂で該断熱部２１が構成されていてもよい。
【００２０】
一方、前記下側筐体１１内部には、該下側筐体１１内を上下に仕切る仕切り体３０が脱着自在に取り付けられている。これにより、量水器ごと外部へ取り外すようなメンテナンス時においても仕切り板３０を取り外して作業を行うことができる。なお、量水器及び配管（図示省略）は該仕切り体３０よりも下側の空間に配置される。
【００２１】
図２に示すように、前記仕切り体３０は、主要部を構成する板状の本体３１を備え、該本体３１の中央に、前記量水器を視認可能とする内側開口部３２が形成されている。
【００２２】
また、前記本体３１には、前記内側開口部３２を遮蔽自在とする中蓋体３５が遮蔽自在に軸支されている。具体的には、中蓋体３５の後縁部側が軸支され、前縁部側が持ち手側となる。さらに、該中蓋体３５の上面には、上方に向けて突出した凸片部３６が設けられており、該凸片部３６には、左右方向に沿って形成された所定長さの貫通孔３７が形成されている。
【００２３】
なお、前記仕切り体３０は、断熱性の高い発泡樹脂材料で構成されることが望ましく、例えば断熱性能や製造加工の容易性に優れた発泡スチロール製であることが好ましい。
【００２４】
また、図２等に示すように、前記外蓋体２０の断熱部２１には、所定長さの非伸縮性の紐体５０が所要の弛みを持たせながら取り付けられている。具体的には、該紐体５０が前記中蓋体３５における凸片部３６の貫通孔３７に挿通された状態で、該紐体５０の両端がそれぞれ前記外蓋体２０の断熱部２１に定められた固定部２２，２２に固定されている。そして、一方の固定部２２に固定された端部から他方の固定部２２に固定された端部までの紐体５０の長さは、後述する閉塞状態Ａにおける一方の固定部２２から貫通孔３７を通って他方の固定部２２に至る最短距離よりも、長くなるように設定されている。ここで、貫通孔３７の内径は、紐体５０の外径よりも十分に大きくなるように寸法設定されている。また、かかる状態で平面視した場合には、貫通孔３７と各固定部２２，２２とが一列状となるように配置されている。なお、前記紐体５０により、本発明にかかる連結手段が構成されている。また、前記貫通孔３７により、本発明にかかる挿通部が構成されている。
【００２５】
前記紐体５０の種類は特に限定されず、十分な強度と耐久性があれば樹脂製の糸で構成されていてもよいし、金属製のチェーンが用いられてもよい。また、紐体５０を外蓋体２０及び中蓋体３５に固定する手段は特に限定されることがなく、接着剤を用いてもよいし、紐体５０の両端に取り付けられたリング部材をボルト等の締結手段で外蓋体２０又は中蓋体３５に締結するようにしてもよい。
【００２６】
次に、上記した量水器ボックス１における外蓋体２０及び中蓋体３５の開閉機構について詳述する。
【００２７】
図１，図２に示すように、通常の使用状態（すなわち閉塞状態Ａ）にあっては、前記外蓋体２０が前記外側開口部１７を遮蔽する遮蔽位置２０Ａに位置し、かつ、前記中蓋体３５が前記内側開口部３２を遮蔽する遮蔽位置３５Ａに位置している。かかる状態では、外部からの冷気が量水器や配管に到達してしまうことが抑制されるため、量水器や配管内の水の凍結が防止できる。なお、図１に示すように、この閉塞状態Ａにあっては、前記紐体５０は弛んでおり非緊張状態となっている。
【００２８】
次に、検針やメンテナンスのために作業者が前記外蓋体２０を開放方向へ回動し始めると、図３，図４に示すように、該外蓋体２０が所定の角度位置となるまでは前記中蓋体３５は遮蔽位置３５Ａに維持されている。さらに詳述すると、外蓋体２０は、あらかじめ遊動限界位置２０Ｃが定められており、該外蓋体２０が遮蔽位置２０Ａと該遊動限界位置２０Ｃとの間の遊動範囲α内で回動するときは、前記中蓋体３５は常時遮蔽位置３５Ａに位置している。これは、閉塞状態Ａにおいて外蓋体２０と中蓋体３５とを繋ぐ紐体５０が弛んだ状態とされていることに起因しており、外蓋体２０が遊動範囲α内で回動するときは外蓋体２０と中蓋体３５とが連動しない。
【００２９】
そして、図５，図６に示すように、回動する外蓋体２０が前記遊動限界位置２０Ｃを超えると、紐体５０で引っ張られて前記中蓋体３５も同期して開放方向へ回動開始し、該外蓋体２０が所定の開放位置２０Ｂに到達すると同時に、前記中蓋体３５が所定の開放位置３５Ｂに位置して前記量水器ボックス１が開放状態Ｂとなる。かかる状態になると、作業者が手を離しても外蓋体２０及び中蓋体３５が閉まることがなく、外部から量水器が視認可能となり、検針やメンテナンス等を行うことができる。
【００３０】
なお、紐体５０を中蓋体３５に取り付ける構造は適宜変更可能である。ただし、中蓋体３５が発泡樹脂（例えば発泡スチロール）によって構成されている場合には、中蓋体３５の強度を考慮して、上述のように前縁側が開放する中蓋体３５に対して、左右方向に開口した長手の貫通孔３７を設け、該貫通孔３７内に前記紐体５０が挿通される構成とすることが望ましい。かかる構成とすることにより、貫通孔３７内を紐体５０が左右方向に適宜移動することが可能となり、例えば紐体５０の端を中蓋体３５に点接着して取り付ける構成に比べて、紐体５０の取付箇所に過剰な引張力が作用して接着部分が外れてしまうといったことを効果的に防止することができる。
【００３１】
なお、図６に示すように、開放位置２０Ｂに位置している外蓋体２０は、遮蔽位置２０Ａから９０度以上の角度範囲で回動しており、これに対し、開放位置３５Ｂに位置している中蓋体３５は、遮蔽位置３５Ａから９０度に満たない角度範囲で回動している。
【００３２】
ここで、図７に示すように量水器ボックス１が開放状態Ｂとされた状態で、仮に作業中の作業者の手が前記中蓋体３５に触れて、該中蓋体３５がさらに開放方向（内側開口部３２から離開する方向）へ回動した場合にも、前記外蓋体２０は開放位置２０Ｂに位置している。
【００３３】
さらに詳述すると、前記中蓋体３５には、所定の遊動限界位置３５Ｃが前記開放位置３５Ｂよりも開放側の所定位置で設定されており、中蓋体３５が、開放位置３５Ｂから遊動限界位置３５Ｃまでの遊動範囲βで回動するときは、前記外蓋体２０は開放位置２０Ｂに維持され、紐体５０に引っ張られて勝手に閉じてしまうことがない。また、前記開放状態Ｂで仮に作業者が紐体５０に触れたとしても、前記仕切り体３０が上方に位置ずれして筐体１０から外れてしまうことがなく、位置ずれした仕切り体３０と下側筐体１１との隙間から冷気が進入してしまうこともない。これは、紐体５０が左右方向に形成された貫通孔３７に挿通され、かつ紐体５０の外径よりも貫通孔３７の内径が大きいことで、紐体５０が前後上下かつ左右方向に適宜移動可能とされており、該貫通孔３７に挿通された左右方向の紐体５０部分で紐体５０に付与された外力を適正に吸収することが可能となっていることに起因する。
【００３４】
なお、本実施例における遊動限界位置３５Ｃは、中蓋体３５における凸片部３６が前記上側筐体１５の内壁に当接する位置としている。具体的には、遊動限界位置３５Ｃは、中蓋体３５の回動角度が９０度未満となる範囲に定められることが好ましい。これは、中蓋体３５が９０度以上の角度で回動してしまうと閉鎖時に自重で閉まらなくなるためである。例えば、前記凸片部３６を中蓋体３５の前縁側に配置することで、中蓋体３５の遊動限界位置３５Ｃで該凸片部３６が筐体１０の内壁に当接し、中蓋体３５の回動角度が９０度以上になってしまうことを好適に防止できる。
【００３５】
一方、開放状態Ｂ（図７参照）にある前記量水器ボックス１を、閉塞状態Ａ（図２参照）とする場合には、作業者は外蓋体２０を閉鎖方向に回動させればよい。具体的には、該外蓋体２０を前記遊動限界位置２０Ｃまで回動させれば、前記中蓋体３５は自重によって遮蔽位置３５Ａまで閉方向へ回動する。そして、そのまま該外蓋体２０を遮蔽位置２０Ａに位置させれば該量水器ボックス１の閉塞状態Ａが得られる。このように、外蓋体２０を閉方向に回動させるだけで中蓋体３５が閉方向に回動するため、検針やメンテナンス時の作業性が向上し、中蓋体３５の閉め忘れが防止できる。
【００３６】
また、仮に外蓋体２０と外側開口部１７との間に小石等が挟まってしまい、外蓋体２０が適正に遮蔽位置２０Ａに位置していない場合にも、該外蓋体２０が遊動範囲α内に位置している場合に限り該中蓋体３５が適正に遮蔽位置３５Ａに位置するため、断熱性能の低下を効果的に抑制することができる。
【００３７】
本発明は、上記実施例に限定されることはなく、本発明の主旨を逸脱しない範囲で適宜変更可能である。例えば、下側筐体１１と上側筐体１５とは、円筒形状であってもよいし、その他の形状であってもよい。また、中蓋体３５の凸片部３６に設けられた貫通孔３７の断面形状を長孔形状とすることで、外蓋体２０の遊動範囲αを拡大するようにしてもよい。また、紐体５０を複数準備し、外蓋体２０と中蓋体３５とを複数の箇所で連結する構成としてもよい。
【符号の説明】
【００３８】
１      量水器ボックス
１０    筐体
１１    下側筐体
１５    上側筐体
１７    外側開口部
２０    外蓋体
２０Ａ  遮蔽位置
２０Ｂ  開放位置
２０Ｃ  遊動限界位置
３０    仕切り体
３１    本体
３２    内側開口部
３５    中蓋体
３５Ａ  遮蔽位置
３５Ｂ  開放位置
３５Ｃ  遊動限界位置
５０    紐体
Ａ      閉塞状態
Ｂ      開放状態
【図１】
2016199928.tif 000003
【図２】
2016199928.tif 000004
【図３】
2016199928.tif 000005
【図４】
2016199928.tif 000006
【図５】
2016199928.tif 000007
【図６】
2016199928.tif 000008
【図７】
2016199928.tif 000009